(57)【要約】【課題】  取付け時に電線に沿って容易に移動可能とし、取付け作業の手間を低減し、電線の直上に一定の間隔で防鳥用索条を安定に保持することができる防鳥用索条の張架装置を提供する。【解決手段】  電柱間に架設された電線２に掛止められる取付け枠４であって、取付け枠４内の予め定める掛止め位置Ｐに電線２を配設するために、電線２を挿入するための開口５が設けられた取付け枠４と、取付け枠４の上部６から上方へ突出し、索条３を係止するための係止片７を有する索条係止部８と、取付け枠４の下部９と上部６との間に変位可能に設けられ、掛止め位置Ｐに配置された電線２を上部６との間で挟持するための押圧部材１０と、押圧部材１０を下部９から上部６に向かってばね付勢するばね１１とを備える。【選択図】      図１
2019176578.tif 000002
【特許請求の範囲】
【請求項１】
電柱間に架設された電線に掛止められる取付け枠であって、前記取付け枠内の予め定める掛止め位置に前記電線を配設するために、前記電線を挿入するための開口が設けられた取付け枠と、
前記取付け枠の上部から上方へ突出し、索条を係止するための係止片を有する索条係止部と、
前記取付け枠の下部と前記上部との間に変位可能に設けられ、前記掛止め位置に配置された電線を前記上部との間で挟持するための押圧部材と、
前記押圧部材を、前記下部から前記上部に向かってばね付勢するばねと、を備えることを特徴とする防鳥用索条の張架装置。
【請求項２】
前記取付け枠の前記上部は、前記開口を挟んで互いに近接／離反する方向に弾性変形可能な一対の電線受け部を有することを特徴とする請求項１に記載の防鳥用索条の張架装置。
【発明の詳細な説明】
【技術分野】
【０００１】
本発明は、２本の電柱間にわたって張架された電線に鳥が飛来して停まることを防ぐために、ワイヤ、テグスなどの線状体から成る防鳥用索条を、各電柱間にわたって電線と平行に張架するために用いられる防鳥用索条の張架装置に関する。
【背景技術】
【０００２】
典型的な従来技術の防鳥用索条の張架装置は、たとえば特許文献１に鳥害防止器具の自由支持具として開示されている。鳥害防止器具は、電柱間に架設された電線の両端側にそれぞれ取付けられる一対の固定支持具と、各固定支持具間における電線に、該電線から上方に離隔したが状態で張架される複数の自由支持具とによって構成される。
【０００３】
自由支持具は、電線が遊通される通し孔を有するガイド部と、ガイド部から上方に突出しかつ防鳥用索条の取付部を具備した起立部とを備える。自由支持具は、電線を基準として、起き上がりこぼしのように左右に揺れ動くことができ、重心を底に置くことによって、ガイド部が重みで下がり、起立部を立てた状態に保ち、風や振動などに影響されることなく、電線の上方に間隔をあけて防鳥用索条が張架されるように構成されている。
【０００４】
このように自由支持具は、ガイド部の通し孔に電線が挿通された状態で、防鳥用索条を電線に沿って保持するように構成されるので、電線の捩れに対して自由支持具が追従せず、これによって防鳥用索条と電線とが近接してしまうことが防がれ、防鳥用索条を電線から離間させた状態に維持することができる。このように、この従来技術では、自由支持具を電線の捩れに対して追従しないように取付けて、防鳥用索条を電線から常に離した状態に維持することが提案されている。
【先行技術文献】
【特許文献】
【０００５】
【特許文献１】特許第４６６９２７７号公報
【発明の概要】
【発明が解決しようとする課題】
【０００６】
上記従来技術では、自由支持具は、電線がガイド部の通し孔に拘束されず挿通するように構成される。したがって、防鳥用索条の弛み度が大きい場合にその防鳥用索条を緊張して防鳥用索条の張力が高くなると、自由支持具が防鳥用索条によって持上げられ、ガイド部は電線に対して上方へ変位して電線と防鳥用索条との間隔が大きくなり、電線に鳥が留まる可能性が高くなって、防鳥効果が低下するという問題がある。
【０００７】
また、自由支持具の通し孔の隙間が大きい場合には、風などの作用によってガイド部が電線に当接し、電線の摩耗が生じ、「カタカタ…」などの当接による異音または騒音の発生も懸念される。
【０００８】
さらに、日射などによって防鳥用索条が温度上昇すると、該防鳥用索条は膨張し、防鳥用索条の張力が低下する。これによって自由支持具は下方へ変位するので、電線はガイド部の通し孔内でガイド部に接触せず、いわば非接触で浮いた状態となる場合が生じ得る。電線がガイド部に接触せずに浮いた状態では、自由支持具が風などの作用によって容易に傾斜してしまい、防鳥用索条を電線の直上に一定の間隔で保持することができなくなり、鳥の飛来に対して充分な防鳥効果を発揮することができないという問題がある。
【０００９】
このような問題を解決するためには、自由支持具を固定支持具のように、電線に固定可能な構成とすることが考えられる。このように自由支持具を電線に固定可能な構成にすると、複数の自由支持具を各電柱間の電線に取付ける際、各自由支持具を電線の一方の電柱寄りの端部にまとめて装着し、ガイド部に電線が挿通された状態で、順次的に電線の他方の電柱寄りの端部に向かって移動させる必要があるので、移動時に各自由支持具の電線への固定状態を解除しなければならず、各自由支持具の取付け作業に極めて手間を要してしまうという問題がある。
【００１０】
したがって本発明の目的は、取付け時に電線に沿って容易に移動可能とし、取付け作業の手間を低減し、電線の直上に一定の間隔で防鳥用索条を安定に保持することができる防鳥用索条の張架装置を提供することである。
【課題を解決するための手段】
【００１１】
本発明は、電柱間に架設された電線に掛止められる取付け枠であって、前記取付け枠内の予め定める掛止め位置に前記電線を配設するために、前記電線を挿入するための開口が設けられた取付け枠と、
前記取付け枠の上部から上方へ突出し、索条を係止するための係止片を有する索条係止部と、
前記取付け枠の下部と前記上部との間に変位可能に設けられ、前記掛止め位置に配置された電線を前記上部との間で挟持するための押圧部材と、
前記押圧部材を、前記下部から前記上部に向かってばね付勢するばねと、を備えることを特徴とする防鳥用索条の張架装置である。
【００１２】
また本発明は、前記取付け枠の前記上部は、前記開口を挟んで互いに近接／離反する方向に弾性変形可能な一対の電線受け部を有することを特徴とする。
【発明の効果】
【００１３】
本発明によれば、電柱間に架設された電線は、取付け枠に開口を介して挿入され、取付け枠内の予め定める掛止め位置に配設される。取付け枠の上部には、上方へ突出する索条係止部が設けられる。索条係止部は、係止片を有し、係止片によって索条が係止される。取付け枠の下部と上部との間には、押圧部材が変位可能に設けられる。押圧部材は、ばねによって、下部から上部に向かってばね付勢される。取付け枠の上部と押圧部材との間の掛止め位置に配置された電線は、取付け枠の上部に支持された状態で、下方から押圧部材によって押圧され、上部と押圧部材とによって挟持される。
【００１４】
このように取付け枠の掛止め位置に配置された電線は、取付け枠の上部と押圧部材とによって弾発的に挟持されるので、張架部材を電線に沿って移動させることができるとともに、索条の張力が変化しても、電線が取付け枠から離れてしまうことが防がれる。したがって、複数の張架装置を電線に取付ける際には、各張架装置を電線に沿って容易に移動させ、所定の取付け位置に取付けることができる。また所定の取付け位置に取付けられた各張架装置は、取付け枠が電線から離れないので、索条の張力が変化しても、索条は電線の直上に一定の間隔をあけて安定に保持され、防鳥効果が損なわれることを防止することができる。
【００１５】
また本発明によれば、取付け枠の上部は、開口を挟んで互いに近接／離反する方向に弾性変形可能な一対の電線受け部を有するので、電線を各電線受け部間の開口を通過させて取付け枠内へ容易に挿入することができる。また、張架装置の交換、取付け位置の調整、保守点検などのために張架装置を電線から取外す場合であっても、電線を各電線受け部間の開口を通過させて取付け枠から離脱させることができ、電線への取付け枠の取付けおよび電線からの取付け枠の取外しを容易に行うことが可能となり、電線に対する取付け枠の着脱作業を容易化することができる。
【図面の簡単な説明】
【００１６】
【図１】本発明の一実施形態の防鳥用索条の張架装置１を示す正面図である。
【図２】張架装置１の側面図である。
【図３】張架装置１の平面図である。
【図４】張架装置１の斜視図である。
【図５】取付け枠４および索条係止部８の正面図である。
【図６】押圧部材１０およびばね１１の正面図である。
【図７】押圧部材１０およびばね１１の斜視図である。
【図８】保持部材１２の正面図である。
【図９】保持部材１２の側面図である。
【図１０】保持部材１２の斜視図である。
【図１１】保持部材１２の平面図である。
【図１２】保持部材１２の底面図である。
【発明を実施するための形態】
【００１７】
図１は本発明の一実施形態の防鳥用索条の張架装置１を示す斜視図であり、図２は張架装置１の側面図であり、図３は張架装置１の平面図であり、図４は張架装置１の斜視図である。２本の電柱間に張架された電線２には、本実施形態の防鳥用索条の張架装置（以下、「張架装置」と記す場合がある）１によって、防鳥用索条（以下、「索条」と記す場合ある）３が電線２とほぼ平行に張架される。電線２には、各電柱近傍で図示しない固定具がそれぞれ固定され、これらの固定具に索条３の両端部が固定される。索条３は、電線２と平行に張架され、電線２の軸線と索条３の軸線とは、静止状態において、共通な仮想一鉛直面内またはその近傍にあり、この索条３が障害となって、飛来した鳥が電線２に停まることが防がれる。このように、張架装置１は、電線２の上方に、電線２に沿って張架される索条３を保持して張架するために、複数の張架装置１が各電柱間の電線２に互いに間隔をあけて設置される。
【００１８】
張架装置１は、電柱間に架設された電線２に掛止められる取付け枠４を備える。取付け枠４は、該取付け枠４内の予め定める掛止め位置Ｐに電線２を配設するために、電線２を挿入するための開口５が設けられる。張架装置１は、さらに、取付け枠４の上部６から上方へ突出し、索条３を係止するための係止片７を有する索条係止部８と、取付け枠４の下部９と上部６との間に変位可能に設けられ、掛止め位置Ｐに配置された電線２を上部６との間で挟持するための押圧部材１０と、押圧部材１０を下部９から上部６に向かってばね付勢するばね１１とを備える。このばね１１を取付け枠４に保持するために、張架装置１は、取付け枠４の下部９に設けられ、ばね１１を保持する保持部材１２を備える。
【００１９】
このような張架装置１は、電気絶縁性に優れた合成樹脂の射出成形品によって実現される。合成樹脂としては、たとえばポリカーボネート、ポリアセタール、ＡＢＳ（Acrylonitrile-Butadiene-Styrene）、ＡＥＳ（Acrylonitrile-Ethylene-Styrene resin）、またはポリプロピレンを用いることができる。
【００２０】
図５は取付け枠４および索条係止部８の正面図である。取付け枠４の上部６は、開口５を挟んで互いに近接／離反する方向に弾性変形可能な一対の電線受け部１３ａ，１３ｂを有する。各電線受け部１３ａ，１３ｂは、逆Ｌ字状のフック状部分１４ａ，１４ｂと、各フック状部分１４ａ，１４ｂのそれぞれの基部が共通に連なり、平面視において略四角形の底部１５とを有する。各フック状部分１４ａ，１４ｂは、前述の上部６をそれぞれ含む。各上部６は、上方（図１の上方）に凸に屈曲し、電線２が下方から接触して位置決めされる掛止め位置Ｐを規定する逆Ｖ字状に形成される。
【００２１】
図６は押圧部材１０およびばね１１の正面図であり、図７は押圧部材１０およびばね１１の斜視図である。押圧部材１０は、押圧板２０、一対の立ち上がり片２１ａ，２１ｂと、案内軸部２２とを含む。押圧板２０は、正面視において略Ｍ字状であり、かつ平面視において長方形の板状体によって構成される。各立ち上がり片２１ａ，２１ｂは、押圧板２０の各短辺部のそれぞれから直角に立上がって形成される。案内軸部２２は、押圧板２０の下面の中心部から各立ち上がり片２１ａ，２１ｂと反対側へ延びる。
【００２２】
ばね１１は、複数のＵ字状の屈曲片２３が、仮想一平面に関して交互に反転した向きに連なり、正面視において波状の部材を構成する圧縮ばねから成る。このようなばね１１の長手方向一端部は、前述の押圧部材１０の案内軸部２２に連なって形成される。参考までに、図７を参照して、ばね１１の各寸法を述べると、横幅ａ＝１５ｍｍ、縦幅ｂ＝８ｍｍ、厚さｔ＝１．３ｍｍ、各屈曲片２３のピッチΔＬ＝１３ｍｍである。これらの寸法ａ、ｂ、ｔ、ΔＬは、一例であって、これに限るものではなく、電線２の外径、風圧などの外力に応じて適宜設定される。
【００２３】
図８は保持部材１２の正面図であり、図９は保持部材１２の側面図であり、図１０は保持部材１２の斜視図であり、図１１は保持部材１２の平面図であり、図１２は保持部材１２の底面図である。保持部材１２は、基台３０と、係止片３１ａ，３１ｂと、案内筒部３２と、底蓋部３３とを含む。基台３０は、平面視において長方形の扁平部材から成る。各係止片３１ａ，３１ｂは、基台３０の各短辺部のそれぞれから直角に立ち上がって形成される。案内筒部３２は、基台３０の中心部に長手方向一端部３２ａが貫通して連なる四角筒状体から成る。底蓋部３３は、案内筒部３２の長手方向他端部３２ｂの開口を塞ぐように設けられる。
【００２４】
保持部材１２の案内筒部３２には、押圧部材１０の案内軸部２２およびばね１１が収容され、案内軸部２２が案内筒部３２によって軸線方向の移動が案内され、上部６と下部９との間で押圧部材１０が案内筒部３２の軸線に沿って移動可能に保持される。
【００２５】
基台３０には、雨水、雪、結露などによって発生した水を排出するための複数の第１透孔３５が形成される。また、底蓋部３３には、上記の水を排出するための第２透孔３６が形成される。また、これらの第１および第２透孔３５，３６によって張架装置１全体の重量も軽減され、軽量化が図られている。
【００２６】
以上のように構成された張架装置１によれば、電柱間に架設された電線２は、取付け枠４に開口５を介して挿入され、取付け枠４内の予め定める掛止め位置Ｐに配設される。取付け枠４の上部６には、上方へ突出する索条係止部８が設けられる。索条係止部８は、係止片７を有し、係止片７によって索条３が係止される。取付け枠４の下部９と上部６との間には、押圧部材１０が変位可能に設けられる。押圧部材１０は、ばね１１によって、下部９から上部６に向かってばね付勢される。取付け枠４の上部６と押圧部材１０との間の掛止め位置Ｐに配置された電線２は、取付け枠４の上部６に支持された状態で、下方から押圧部材１０によって押圧され、上部６と押圧部材１０とによって挟持される。
【００２７】
取付け枠４の掛止め位置Ｐに配置された電線２は、取付け枠４の上部６と押圧部材１０とによって弾発的に挟持されるので、張架部材１を電線２に沿って移動させることができるとともに、索条３の張力が変化しても、電線２が取付け枠４から離れてしまうことが防がれる。したがって、複数の張架装置１を電線２に取付ける際には、各張架装置１を電線２に沿って容易に移動させ、所定の取付け位置に取付けることができる。また所定の取付け位置に取付けられた各張架装置１は、取付け枠４が電線２から離れないので、索条３の張力が変化しても、索条３は電線２の直上に一定の間隔をあけて安定に保持され、防鳥効果が損なわれることを防止することができる。
【００２８】
また、取付け枠４の上部６は、開口５を挟んで互いに近接／離反する方向に弾性変形可能な一対の電線受け部１３ａ，１３ｂを有するので、電線２を各電線受け部１３ａ，１３ｂ間の開口５を通過させて取付け枠４内へ容易に挿入することができる。また、張架装置１の交換、取付け位置の調整、保守点検などのために張架装置１を電線２から取外す場合であっても、電線２を各電線受け部１３ａ，１３ｂ間の開口５を通過させて取付け枠４から離脱させることができ、電線２への取付け枠４の取付けおよび電線２からの取付け枠４の取外しを容易に行うことが可能となり、電線２への取付け枠４の着脱作業を容易化することができる。
【符号の説明】
【００２９】
１  張架装置
２  電線
３  索条
４  取付け枠
５  開口
６  上部
７  係止片
８  索条係止部
９  下部
Ｐ  掛止め位置
１０  押圧部材
１１  ばね
１２  保持部材
１３ａ，１３ｂ  電線受け部
１４ａ，１４ｂ  フック状部分
１５  底部
２０  押圧板
２１ａ，２１ｂ  立ち上がり片
２２  案内軸部
２３  屈曲片
３０  基台
３１ａ，３１ｂ  係止片
３２  案内筒部
３３  底蓋部
【図１】
2019176578.tif 000003
【図２】
2019176578.tif 000004
【図３】
2019176578.tif 000005
【図４】
2019176578.tif 000006
【図５】
2019176578.tif 000007
【図６】
2019176578.tif 000008
【図７】
2019176578.tif 000009
【図８】
2019176578.tif 000010
【図９】
2019176578.tif 000011
【図１０】
2019176578.tif 000012
【図１１】
2019176578.tif 000013
【図１２】
2019176578.tif 000014